(57)【要約】【課題】ディスクドライブ内で結露が生じたときに、記録するデータや、データを記録するメディアを有効に保護する。【解決手段】ディスクドライブ３に挿入された光ディスク１に対してデータ並びに当該データに基づく管理情報を記録し、またこれと並行して、ディスクドライブ３内の相対湿度に応じた抵抗値を結露センサ８を用いて定期的に検出し、管理情報の記録終了前において、当該抵抗値が第１の閾値を超える場合には、記録媒体に対するデータの記録を停止する。【選択図】  図１
2004213810.tif 000002
【特許請求の範囲】
【請求項１】
ディスクドライブに挿入された記録媒体に対してデータ並びに当該データに基づく管理情報を記録する記録手段と、
上記ディスクドライブ内の相対湿度に応じた抵抗値を定期的に検出する結露センサと、
上記結露センサにより検出される抵抗値に基づき、少なくとも上記記録手段を制御する制御手段とを備え、
上記制御手段は、上記記録手段による上記管理情報の記録終了前において、上記検出される抵抗値が第１の閾値を超える場合には、上記記録媒体に対するデータの記録を停止するように上記記録手段を制御すること
を特徴とする記録装置。
【請求項２】
情報を表示する表示手段をさらに備え、
上記制御手段は、上記結露センサにより検出される抵抗値が第１の閾値を超える場合には、所定の情報を表示するように上記表示手段を制御すること
を特徴とする請求項１記載の記録装置。
【請求項３】
上記制御手段は、上記記録手段による上記管理情報の記録終了前において、
上記検出される抵抗値が第１の閾値を超え、また第２の閾値に及ばない場合には、上記管理情報の記録を続行するように上記記録手段を制御し、
上記検出される抵抗値が第１の閾値及び第２の閾値を超える場合には、上記管理情報の記録を中断するように上記記録手段を制御すること
を特徴とする請求項１記載の記録装置。
【請求項４】
上記ディスクドライブに挿入された記録媒体をユーザが取り出すための取出手段をさらに備え、
上記制御手段は、上記記録媒体に対する上記管理情報の記録が終了するまで、上記取出手段における記録媒体の取り出しを制限すること
を特徴とする請求項３記載の記録装置。
【請求項５】
ディスクドライブに挿入された記録媒体に対してデータ並びに当該データに基づく管理情報を記録する記録ステップと、
上記記録ステップと並行して、上記ディスクドライブ内の相対湿度に応じた抵抗値を定期的に検出する検出ステップとを有し、
上記記録ステップにおける上記管理情報の記録終了前に、上記検出ステップにおいて検出される抵抗値が第１の閾値を超える場合には、上記記録媒体に対するデータの記録を停止すること
を特徴とする記録方法。
【請求項６】
上記検出される抵抗値が第１の閾値を超える場合には、所定の情報を表示すること
を特徴とする請求項５記載の記録方法。
【請求項７】
上記記録ステップにおける管理情報の記録終了前において、
上記検出される抵抗値が第１の閾値を超え、また第２の閾値に及ばない場合には、上記管理情報の記録を続行し、
上記検出された抵抗値が第１の閾値及び第２の閾値を超える場合には、上記管理情報の記録を中断すること
を特徴とする請求項５記載の記録方法。
【請求項８】
上記記録媒体に対する上記管理情報の記録が終了するまで、ユーザによる上記記録媒体の取り出しを制限すること
を特徴とする請求項７記載の記録方法。
【請求項９】
被写体を撮像して画像データを生成する撮像手段と、
ディスクドライブに挿入された記録媒体に対して上記画像データ並びに当該画像データに応じた管理情報を記録する記録手段と、
上記ディスクドライブ内の相対湿度に基づく抵抗値を定期的に検出する結露センサと、
上記結露センサにより検出される抵抗値に基づき、少なくとも上記記録手段を制御する制御手段とを備え、
上記制御手段は、上記記録手段による上記管理情報の記録終了前において、上記検出される抵抗値が第１の閾値を超える場合には、上記記録媒体に対する画像データの記録を停止するように上記記録手段を制御すること
を特徴とする撮像装置。
【請求項１０】
情報を表示する表示手段をさらに備え、
上記制御手段は、上記結露センサにより検出される抵抗値が第１の閾値を超える場合には、所定の情報を表示するように上記表示手段を制御すること
を特徴とする請求項９記載の撮像装置。
【請求項１１】
上記制御手段は、上記記録手段による上記管理情報の記録終了前において、
上記検出される抵抗値が第１の閾値を超え、また第２の閾値に及ばない場合には、上記管理情報の記録を続行するように上記記録手段を制御し、
上記検出される抵抗値が第１の閾値及び第２の閾値を超える場合には、上記管理情報の記録を中断するように上記記録手段を制御すること
を特徴とする請求項９記載の撮像装置。
【請求項１２】
上記ディスクドライブに挿入された記録媒体をユーザが取り出すための取出手段をさらに備え、
上記制御手段は、上記記録媒体に対する上記管理情報の記録が終了するまで、上記取出手段における記録媒体の取り出しを制限すること
を特徴とする請求項１１記載の撮像装置。
【発明の詳細な説明】
【０００１】
【発明の属する技術分野】
本発明は、ＤＶＤ−Ｒ（ＤＶＤ−Ｒｅｃｏｒｄａｂｌｅ）又はＤＶＤ−ＲＷ（ＤＶＤ−Ｒｅｗｒｉｔａｂｌｅ）等のデータを記録媒体に記録する記録装置及び方法、撮像したデータを記録媒体に記録する撮像装置に関し、特にディスクドライブ内で結露が生じたときに、記録されたデータを保護することに好適な記録装置及び方法、撮像装置に関する。
【０００２】
【従来の技術】
近年において、大容量型光ディスクのひとつであるＤＶＤ（Ｄｉｇｉｔａｌ  Ｖｅｒｓａｔｉｌｅ  Ｄｉｓｃ）において、データの記録が可能なＤＶＤ−Ｒ（ＤＶＤ−Ｒｅｃｏｒｄａｂｌｅ）と、記録したデータの書き換えが可能なＤＶＤ−ＲＷ（ＤＶＤ−Ｒｅｗｒｉｔａｂｌｅ）及びＤＶＤ−ＲＡＭ（ＤＶＤ−Ｒａｎｄｏｍ  Ａｃｃｅｓｓ  Ｍｅｍｏｒｙ）等が提案されている。
【０００３】
ＤＶＤ−Ｒ又はＤＶＤ−ＲＷ等で記録したデータは、ＤＶＤ−ビデオフォーマットにのみ対応する再生装置ではフォーマットが不適合なために再生をすることができない。このため、かかる再生装置でＤＶＤ−Ｒ又はＤＶＤ−ＲＷ等（以下、ＤＶＤ−Ｒ／−ＲＷという。）に記録したデータを再生するためには、ＤＶＤ−Ｒ／−ＲＷに記録したデータをＤＶＤ−ビデオフォーマットに準拠した所定のフォーマットに変換する必要がある。なお、再生装置でＤＶＤ−Ｒ／−ＲＷに記録したデータを再生するためには、ＤＶＤ−Ｒ／−ＲＷに記録したデータをユニバーサルディスクフォーマット（ＵＤＦ、Ｕｎｉｖｅｒｓａｌ  Ｄｉｓｋ  Ｆｏｒｍａｔ）の規格に適合させる必要がある。
【０００４】
図６は、データをＤＶＤ−ビデオフォーマットに準拠した論理フォーマットで記録した光ディスクのデータ構造を示す図である。ＤＶＤ−ビデオフォーマットに対応した光ディスクは、図６に示すように、記録面が、先頭側である最内側よりリードイン（Ｌｅａｄ  ｉｎ）、データゾーン（Ｄａｔａ  Ｚｏｎｅ）及びリードアウト（Ｌｅａｄ  ｏｕｔ）に区切られている。上記データゾーンには、所望の実データが記録される。
【０００５】
ここでデータゾーンは、リードイン側より、ＵＤＦブリッジ構成が記述されたファイルシステムエリアであるＵＤＦ（Ｕｎｉｖｅｒｓａｌ  Ｄｉｓｋ  Ｆｏｒｍａｔ）領域Ｂ１、ＤＶＤ管理情報エリアであるＶＭＧ（Ｖｉｄｅｏ  Ｍａｎａｇｅｒ）領域Ｂ２及びリアルタイムデータ記録エリアＢ３に区分される。ＵＤＦ領域Ｂ１及びＶＭＧ領域Ｂ２は、リアルタイムデータ記録エリアＢ３に記録されたビデオデータを管理する情報を記録するための領域である。また、ＵＤＦ領域Ｂ１は、第１の管理情報領域と呼ばれ、ＶＭＧ領域Ｂ２は、第２の管理情報領域と呼ばれている。第２の管理情報領域であるＶＭＧ領域Ｂ２は、ＤＶＤ−ビデオフォーマットに固有のファイル管理システムに対応する領域であり、リアルタイムデータ記録エリアＢ３に記録されたビデオデータ全体を管理する情報であるＴＯＣ（Ｔａｂｌｅ  Ｏｆ  Ｃｏｎｔｅｎｔｓ）の情報が記録される。これに対して第１の管理情報領域であるＵＤＦ領域Ｂ１は、再生装置によるファイル管理システムに対応する領域であり、ＰＣ等におけるファイルシステムとの互換性を図るためのＵＤＦ等のフォーマットによりリアルタイムデータ記録エリアＢ３に記録されたビデオデータ全体を管理する情報が記録される。
【０００６】
リアルタイムデータ記録エリアＢ３は、動画及び静止画等の実データを記録するユーザーエリアであり、ＶＴＳ（Ｖｉｄｅｏ  Ｔｉｔｌｅ  Ｓｅｔ）を単位にして、動画及び静止画等が記録される。ＶＴＳはタイトルと呼ばれており、最大で９９個まで設けることができる。
【０００７】
このような光ディスクに動画を書き込む記録方式としては、Ｉｎｃｒｅｍｅｎｔａｌ  Ｒｅｃｏｒｄｉｎｇ方式（以下、ＩＮＣ方式という。）又はＲｅｓｔｒｉｃｔｅｄ  Ｏｖｅｒ  Ｗｒｉｔｅ方式（以下、ＲＯＷ方式という。）がある。ＩＮＣ方式は、主にＤＶＤ−Ｒ等に採用されており、シーケンシャルに動画を記録する方式であり、ＲＯＷ方式は、主にＤＶＤ−ＲＷ等に採用されており、ランダムに動画を記録する方式である。但し、ＲＯＷ方式においても、未記録領域にデータを記録する場合には、シーケンシャルに動画を記録する必要がある。これらＩＮＣ方式及びＲＯＷ方式においては、リードインよりも内周側に設けられたＲＭＡ（Ｒｅｃｏｒｄｉｎｇ  Ｍａｎａｇｅｍｅｎｔ  Ａｒｅａ）により、リザーブ等の光ディスクヘの処理が管理される。
【０００８】
また、このＩＮＣ方式やＲＯＷ方式を用いることにより、カメラで撮像したデータをＤＶＤ−Ｒ／−ＲＷに記録することもできる。特に近年において、カメラとＤＶＤ−Ｒ／−ＲＷ用のディスクドライブを備える記録装置とを一体的に構成したいわゆるディスクカムコーダも提案されている（例えば、特許文献１参照。）。
【０００９】
【特許文献１】
特開２００１−００６２６６号公報
【００１０】
【発明が解決しようとする課題】
ところで、上述した再生装置やディスクカムコーダを設置する環境により、各装置のディスクドライブ内において結露が生じる場合がある。特にディスクドライブに挿入されるＤＶＤ−Ｒ／−ＲＷは、かかる結露の影響により、記録するデータの品質が著しく悪化してしまう。
【００１１】
また、上述した第１の管理情報領域並びに第２の管理情報領域において、管理情報の記録終了前に結露が生じ、さらにユーザによりＤＶＤ−Ｒ／−ＲＷの取り出し操作が実行された場合には、かかるＤＶＤ−Ｒ／−ＲＷは、その後記録も再生もできないメディアとなってしまう。
【００１２】
さらに、結露が生じたディスクドライブ内にあるＤＶＤ−Ｒ／−ＲＷに対して、上述の如く管理情報を記録すると、既にメディアに記録されているデータのみならず、メディア自体の再生が不能となるという問題点もある。
【００１３】
そこで本発明は、上述した問題点に鑑みて案出されたものであり、その目的とするところは、ディスクドライブ内で結露が生じたときに、記録するデータや、データを記録するメディアを有効に保護することができる記録装置及び方法、撮像装置を提供することにある。
【００１４】
【課題を解決するための手段】
本発明者は、ディスクドライブに挿入された記録媒体に対してデータ並びに当該データに基づく管理情報を記録し、またこれと並行して、ディスクドライブ内の相対湿度に応じた抵抗値を定期的に検出し、管理情報の記録終了前において、当該抵抗値が第１の閾値を超える場合には、記録媒体に対するデータの記録を停止する記録装置及び方法を発明した。
【００１５】
すなわち、本発明を適用した記録装置は、上述の課題を解決するために、ディスクドライブに挿入された記録媒体に対してデータ並びに当該データに基づく管理情報を記録する記録手段と、ディスクドライブ内の相対湿度に基づく抵抗値を定期的に検出する結露センサと、結露センサにより検出される抵抗値に基づき、少なくとも上記記録手段を制御する制御手段とを備え、制御手段は、記録手段による管理情報の記録終了前において、検出される抵抗値が第１の閾値を超える場合には、記録媒体に対するデータの記録を停止するように記録手段を制御する。
【００１６】
また、本発明を適用した記録方法は、ディスクドライブに挿入された記録媒体に対してデータ並びに当該データに基づく管理情報を記録する記録ステップと、記録ステップと並行して、ディスクドライブ内の相対湿度に応じた抵抗値を定期的に検出する検出ステップとを有し、記録ステップにおける管理情報の記録終了前に、検出ステップにおいて検出される抵抗値が第１の閾値を超える場合には、記録媒体に対するデータの記録を停止する。
【００１７】
また、本発明者は、ディスクドライブに挿入された記録媒体に対して、被写体を撮像することにより生成した画像データ並びに当該画像データに基づく管理情報を記録し、またこれと並行して、ディスクドライブ内の相対湿度に応じた抵抗値を定期的に検出し、管理情報の記録終了前において、当該抵抗値が第１の閾値を超える場合には、記録媒体に対する画像データの記録を停止する撮像装置を発明した。
【００１８】
すなわち、本発明を適用した撮像装置は、被写体を撮像して画像データを生成する撮像手段と、ディスクドライブに挿入された記録媒体に対して画像データ並びに当該画像データに応じた管理情報を記録する記録手段と、ディスクドライブ内の相対湿度に基づく抵抗値を定期的に検出する結露センサと、結露センサにより検出される抵抗値に基づき、少なくとも記録手段を制御する制御手段とを備え、制御手段は、記録手段による管理情報の記録終了前において、検出される抵抗値が第１の閾値を超える場合には、記録媒体に対するデータの記録を停止するように記録手段を制御する。
【００１９】
【発明の実施の形態】
以下、本発明の実施の形態について図面を参照しながら詳細に説明する。
【００２０】
このディスクカムコーダ１は、ＤＶＤ−Ｒ（ＤＶＤ−Ｒｅｃｏｒｄａｂｌｅ）又はＤＶＤ−ＲＷ（ＤＶＤ−Ｒｅｗｒｉｔａｂｌｅ）の光ディスク２に撮像結果を記録するようにしたものであり、図１に示すように、光ディスク２が挿入されるディスクドライブ３と、ユーザによる操作入力に応じた動作制御信号を生成するためのフロント制御部１１と、少なくとも上記フロント制御部１１から出力される動作制御信号に応じて他の構成要素と各種情報の送受信を実行するＨＩ制御部１２と、被写体を撮像して画像信号を生成するカメラ部１３と、カメラ部１３を制御するカメラ制御部１４と、各構成要素を制御するためのシステムコントローラ１５と、画像信号につき圧縮、伸張処理を施すコーディック処理部１６と、システムコントローラ１５に接続され、情報をユーザに表示するためのＬＣＤパネル１７とを備えている。
【００２１】
ディスクドライブ３は、結露（ＤＥＷ）センサ１８、ドライブ制御部１９、上記システムコントローラ１５とドライブ制御部１９の間に配設されるドライブチップセット２０などを備えてなる。
【００２２】
フロント制御部１１は、ディスクカムコーダ１の筐体外面に設けられたイジェクトスイッチの押圧入力を受けて、ＥＪＥＣＴ信号を生成し、これをＨＩ制御部１２へ送信する。このフロント制御部１１は、外面に設けられた電源スイッチの押圧入力を受けて、ＰＷ信号を生成し、これをＨＩ制御部１２へ送信する。またフロント制御部１１は、ディスクカムコーダ１内の時計制御を実行し、さらに押圧入力されたキーの種別に応じて、所定の動作制御信号を生成し、これをＨＩ制御部１２へ送信する。ちなみに、このキーの押圧入力は、図示しないリモートコントローラ端末から送信される無線信号を受信することにより代替される場合もある。
【００２３】
ＨＩ制御部１２は、フロント制御部１１から受信したＥＪＥＣＴ信号に基づき、ＥＪ制御信号を生成し、これをディスクドライブ３のドライブ制御部１９に対して送信する。またＨＩ制御部１２は、フロント制御部１１から受信したＰＷ信号に基づき、ディスクカムコーダ１の電源のＯＮ／ＯＦＦを制御する。また、このＨＩ制御部１２は、カメラ制御部１４と、例えばＩ／Ｏｓｙｎｃバスを介して、各種情報の送受信を行い、またシステムコントローラ１５と、バスを介して各種情報の送受信を行う。ＨＩ制御部１２は、フロント制御部１１から受信した各種動作制御信号に基づき、コマンドを生成してこれを各構成要素へ送信し、あるいは所定の動作を実行する。例えばフロント制御部１１を介してユーザから記録モード、再生モードが指定された場合には、かかる旨の動作制御信号がこのＨＩ制御部１２に送信されることになる。ＨＩ制御部１２は、当該動作制御信号に基づき、指定されたモードの詳細につき識別し、ディスクドライブ３のドライブ制御部１９に対して所定の制御信号を送信することになる。
【００２４】
なお、このＨＩ制御部１２は、さらにＤＶＤ再生ナビゲーションの制御、ＵＳＢ（Ｕｎｉｖｅｒｓａｌ  Ｓｅｒｉａｌ  Ｂｕｓ）インターフェース等を介して他の電子機器とデータ通信等も実行する。
【００２５】
カメラ部１３は、撮像した被写体に基づき、例えばＣＣＤイメージセンサを用いた光電変換により画像信号を生成する。このカメラ部１３は、この生成した画像信号に対して、例えば相関二重サンプリング処理を実行することによりノイズ成分を除去し、シェーディング補正やマスキング補正、ニー補正、γ補正、輪郭補償等の信号処理を行い、さらにこれを増幅してカメラ制御部１４を介してＨＩ制御部１２にへ供給する。
【００２６】
カメラ制御部１４では、カメラ部１３における映像信号処理の制御、ズーム調整、パンチルト調整、焦点調整に加え、メカシャッター制御、ストロボ制御、手ぶれ補正等を行う。
【００２７】
コーディック処理部１６は、カメラ部１３により得られた画像信号をディジタル信号に変換することによりビデオデータを生成する。このコーディック処理部１６は、システムコントローラ１５による制御に基づき、生成したビデオデータが動画の場合には、ＭＰＥＧ（Ｍｏｖｉｎｇ  Ｐｉｃｔｕｒｅ  Ｅｘｐｅｒｔｓ  Ｇｒｏｕｐ）２方式に基づきデータ圧縮し、ビデオデータが静止画の場合には、ＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）方式に基づき、データ圧縮する。この圧縮されたビデオデータは、ディスクドライブ３のドライブ制御部１９へ送信され、さらにはＨＩ制御部１２に接続されるＵＳＢケーブルを介して他の電子機器に送信される。これにより、ディスクカムコーダ１では、撮像結果と再生結果を外部機器でモニタリングすることも可能となる。ちなみに、このコーディック処理部１６は、圧縮したビデオデータにつきサムネイル画像を生成してもよい。
【００２８】
コーディック処理部１６は、再生時に、光ディスク２から読み出した再生ＲＦ信号に基づくビデオデータを上述の方式に対応させてデータ伸長する。
【００２９】
システムコントローラ１５は、記録時において、画像生成処理部１６から出力されるビデオデータを時分割多重化し、これにＤＶＤに固有のヘッダー情報や拡張ファイルのヘッダー情報等を付加する。また、システムコントローラ１５は、ＵＤＦ、ＶＭＧ及びＶＴＳＩ等のデータを生成し、これをドライブ制御部へ出力する。また、システムコントローラ１５は、記録時において、図示しないＲＡＭを用いて、エラー訂正符号を生成し、これをビデオデータに付加する。このときシステムコントローラ１５は、ビデオデータに対して、スクランブル処理及び８／１５変調等の処理を実行してもよい。
【００３０】
またシステムコントローラ１５は、ビデオデータの記録を一時的に停止する場合には、その旨の制御信号を送信することによりディスクドライブ１９を制御する。さらにシステムコントローラ１５は、ＨＩ制御部１２による制御に従いＬＣＤパネルにおけるグラフィック処理を実行し、またＬＣＤパネルの背面に配設されたバックライト等の輝度を制御する。
【００３１】
ＬＣＤパネル１７は、電子ビューファインダとして機能するもので、多数の液晶表示素子等からなり、ユーザに対して情報を表示するディスプレイを構成する。このＬＣＤパネル１７は、システムコントローラ１５による制御に基づき、所定のメッセージを表示する。
【００３２】
ＤＥＷセンサ１８は、ディスクドライブ３内における相対湿度に応じた抵抗値を定期的に検出する。このＤＥＷセンサ１８として用いられる素子は、湿度に応じて素子抵抗が変化する特性を有する。このため、かかる特性を利用することによりディスクドライブ３内の結露状態を識別することができる。すなわち、結露が生じていない場合のＤＥＷセンサ１８の素子抵抗は、ディスクドライブ３内の湿度に対応した抵抗値になる。また結露が生じると、当該ＤＥＷセンサ１８の表面に水滴が付き、その水分によりＤＥＷセンサ１８の相対湿度が１００％近くに変化し、素子抵抗が急上昇する。このときのＤＥＷセンサ１８の抵抗を検出することにより結露状態を識別することが可能となる。
【００３３】
ディスクドライブ３のドライブ制御部１９は、光ディスク２に対するビデオデータの記録、読出処理を制御し、また光ディスク２のスピンドル駆動、光ピックアップのフォーカス駆動、トラッキング駆動、スレッド駆動を制御する。また、このドライブ制御部１９は、ＨＩ制御部１２から送信されるＥＪ制御信号に基づき、ディスクドライブ３に挿入された光ディスク２をユーザが取り出すための取出機構を制御する。
【００３４】
なお、ディスクドライブ３の構成については、後に詳細に説明をする。
【００３５】
上述の構成からなるディスクカムコーダ１では、撮像した被写体に基づく画像信号につき、所定の方式により圧縮してビデオデータを生成し、これを光ディスク２へ記録することができる。また再生時には、光ディスク２から読み出したビデオデータを伸張してＬＣＤパネル１７を介してこれを表示し、あるいは他の電子機器へ送信してこれをモニタリングすることができる。
【００３６】
次に、ディスクドライブ３の詳細について、図２に示すブロック構成図を参照して説明する。
【００３７】
この図２に示すようにドライブドライブ３は、挿入された光ディスク２に対してビデオデータを記録し、あるいは光ディスク２に記録されているビデオデータを検出する光学ピックアップ３１と、光ディスク２を回転させるスピンドルモータ３２と、光学ピックアップ３１を光ディスク２の径方向へ移動させるスレッドモータ３３と、光学ピックアップ３１に接続されるＲＦ増幅器３４と、ＲＦ増幅器３４からの信号を記憶部３７へ送信し、また各種サーボ駆動信号を発生させるディジタルシグナルプロセッサ（ＤＳＰ：Ｄｉｇｉｔａｌ  Ｓｉｇｎａｌ  Ｐｒｏｃｅｓｓｏｒ）３５と、接続されたＤＳＰ３５からのサーボ駆動信号に基づき、スレッドモータ３３、並びに光学ピックアップ３１内の図示しない２軸コイルを制御するドライブＩＣ３６と、接続されたＤＳＰ３５からのサーボ駆動信号に基づき、スピンドルモータ３２を制御するスピンドルドライバ３８と、これらの各構成を制御するためのマイクロコンピュータ（以下、単にマイコンという）３９と、ＤＳＰ３５並びにマイコン３９に対して実行するプログラムを格納するフラッシュメモリ４０と、マイコン３９にそれぞれ接続され、ディスクドライブ３内の温度を検出する温度センサ４１並びに衝撃等を検出するショックセンサ４２とを備えている。
【００３８】
光学ピックアップ３１は、内蔵されている半導体レーザーからレーザービームを出射し、対物レンズを介してこのレーザービームを光ディスク２の情報記録面に集光する。また、このレーザービームの照射により光ディスク２から得られる戻り光をこの対物レンズを介して所定の受光素子に導き、この受光素子の受光結果をＲＦ増幅器３４に出力する。この光学ピックアップ３１は、ドライブＩＣ３６から供給されるフォーカス駆動信号及びトラッキング起動信号に基づき、図示しない２軸コイルを用いて、上記光学ピックアップ３１における対物レンズを光軸方向及び当該光軸方向と直交する方向へ移動させる。
【００３９】
スピンドルモータ３２には、光ディスク２を装着するディスクテーブルが一体的に取り付けられる。スピンドルモータ３２は、スピンドルドライバ３８から供給されるスピンドル駆動信号に基づき、駆動軸を例えば、線速度一定（ＣＬＶ：Ｃｏｎｓｔａｎｔ  Ｌｉｎｅａｒ  Ｖｅｌｏｃｉｔｙ）又は、角速度一定（ＣＡＶ：  Ｃｏｎｓｔａｎｔ  Ａｎｇｕｌａｒ  Ｖｅｌｏｃｉｔｙ）で回転駆動させことにより、ディスクテーブル上に装着された光ディスク２を回転させる。
【００４０】
スレッドモータ３３は、ドライブＩＣ３６から供給されるスレッド駆動信号に基づき、光学ピックアップ３１を光ディスク２の径方向へ移動させる。
【００４１】
このような構成からなるディスクドライブ３では、スピンドルモータ３２並びにスレッドモータ３３により、光ディスク２の回転速度、光学ピックアップ３１の位置等を調整しつつ、光学ピックアップ３１から光ディスク２の記録面に対してレーザ光を照射する。これにより光ディスク２の記録面を局所的に温度上昇させて所望のデータを記録することができる。
【００４２】
ＲＦ増幅器３４は、電流−電圧変換回路、増幅回路、マトリクス演算回路等を備え、光学ピックアップ３１のディテクタで得られる検出出力から、再生ＲＦ信号、トラッキングエラー信号（以下、ＴＥ信号という。）、フォーカスエラー信号（以下、ＦＥ信号という。）等を生成する。ＲＦ増幅器３４は、生成した再生ＲＦ信号、ＴＥ信号、ＦＥ信号に加えて、光学ピックアップ３１から送信される管理情報をＤＳＰ３５へ出力する。
【００４３】
また、ＲＦ増幅器３４は、光学ピックアップ３１から光ディスク２に照射するレーザ光の光量を制御するための光量制御信号を出力する。ＲＦ増幅器３４は、再生時に、光学ピックアップ３１から光ディスク２に照射するレーザ光の光量を一定に保持するのに対し、記録時には、ＤＳＰ３５からのビデオデータに応じてこの光量制御信号の信号レベルを変化させる。
【００４４】
ＤＳＰ３５は、ドライブチップセット２０に相当するもので、上記ドライブ制御部１９に相当するマイコン３９の制御に基づき、入力される再生ＲＦ信号を２値化し、システムコントローラ１５あるいはコーディック処理部１６へ送信されることになる。またこのＤＳＰ３５は、ＲＦ増幅器３４により生成されたＴＥ信号、ＦＥ信号をドライブＩＣ３６へ送信する。またＤＳＰ３５は、記録時に、コーディック処理部１６から送信されるビデオデータに基づき記録パルスを生成してこれを光学ピックアップ３１へ出力する。また、ＤＳＰ３５は、光ディスク２に記録するデータの管理情報を例えばフラッシュメモリ４０に一時的に記憶する。さらに、このＤＳＰ３５は、システムコントローラ１５による指示を受けて、フラッシュメモリ４０に記憶した管理情報を参照しつつ、例えばランダム再生やシャッフル再生の各種再生方法を実行するように各部を制御する。
【００４５】
ドライブＩＣ３６は、ＤＳＰ３５から入力されるＴＥ信号やＦＥ信号に基づき、フォーカス駆動信号及びトラッキング起動信号を生成し、これを光学ピックアップ３１へ供給する。またドライブＩＣ３６は、マイコン３９による制御に従って、光学ピックアップ３１を目的のトラック位置に移動させるためのスレッド駆動信号を生成し、これをスレッドモータ３３へ供給する。
【００４６】
スピンドルドライバ３８は、マイコン３９による制御に従って、スピンドルモータ３２を所定の速度で回転駆動させるためのスピンドル駆動信号を生成し、これをスピンドルモータ３２へ供給する。
【００４７】
記憶部３７は、例えばＲＡＭ（Ｒａｎｄｏｍ  Ａｃｃｅｓｓ  Ｍｅｍｏｒｙ）等により構成され、ＤＳＰ３５から送信される再生ＲＦ信号を一時的に記憶する。この記憶部３７により記憶されている再生ＲＦ信号は、マイコン３９による制御に従い、所定のタイミングで読み出される。
【００４８】
マイコン３９は、上記ドライブ制御部１９に相当するものであって、光ディスク２に対するビデオデータの記録、読出処理を制御し、また光ディスク２のスピンドル駆動、光ピックアップのフォーカス駆動、トラッキング駆動、スレッド駆動等を制御する。
【００４９】
次に、ディスクドライブ３に挿入された光ディスク２の取出制御系について図３を用いて説明をする。
【００５０】
この図３に示すように、光ディスク２の取出制御系は、上述したフロント制御部１１と、ＨＩ制御部１２と、システムコントローラ１５と、ドライブ制御部１９に加え、さらに、このフロント制御部１１に接続されるイジェクトスイッチ２０と、ドライブ制御部１９に接続されるプランジャドライバー２１と、プランジャドライバー２１による制御に基づき、ロック爪を駆動するロック爪駆動部２２と、ディスク蓋２４の開閉状態を識別する蓋閉め検出部２３とを備えて構成される。
【００５１】
ロック爪駆動部２２は、プランジャドライバー２１に供給される電流に応じて、図示しないロック爪を駆動することにより、ディスク蓋２４の施錠を制御する。このロック爪駆動部２２は、プランジャドライバー２１に供給される電流が所定値を超える場合にディスク蓋２４の施錠を解除し、プランジャドライバー２１に供給される電流が所定値以下の場合のみ、ディスク蓋２４の施錠を維持するように構成してもよい。
【００５２】
このような取出制御系において、ユーザによるイジェクトスイッチ２０の押圧入力を受けて、フロント制御部１１は、ＥＪＥＣＴ信号が生成される。ＨＩ制御部１２は、フロント制御部１１からＥＪＥＣＴ信号が送信された場合に、例えば光ディスク２における管理情報の記録状態を参照し、ユーザによる光ディスク２の取り出しを制限すべきか否か判断する。
【００５３】
ここで、ＨＩ制御部１２は、光ディスク２の取り出しを認める場合において、その旨のＥＪ制御信号を生成し、これをドライブ制御部１９へ送信する。ドライブ制御部１９は、かかるＥＪ制御信号を受けて、プランジャドライバー２１へ供給する電流を増加させることにより、ロック爪駆動部２２によるディスク蓋２４の施錠を解除させる。その結果ユーザは、光ディスク２を自由に取り出すことが可能となる。
【００５４】
一方、ＨＩ制御部１２は、光ディスク２の取り出しを制限する場合において、その旨のＥＪ制御信号を生成し、これをドライブ制御部１９へ送信する。ドライブ制御部１９は、かかるＥＪ制御信号を受けて、プランジャドライバー２１へ供給する電流を抑制することにより、ロック爪駆動部２２によるディスク蓋２４の施錠を維持させる。その結果、ユーザによる光ディスク２の取り出しを制限することが可能となる。
【００５５】
ちなみに、ドライブ制御部１９は、蓋閉め検出部２３を介してディスク蓋２４が閉められていることを確認した後、光学ピックアップ３１やスピンドルドライバ３８を制御するようにしてもよい。
【００５６】
次に、本発明を適用したディスクカムコーダ１において、ビデオデータを記録する光ディスク２のデータ構造、並びにビデオデータの記録方式について説明をする。
【００５７】
ＤＶＤ−Ｒ又はＤＶＤ−ＲＷ等に代表される光ディスク２に記録されるビデオデータは、ＤＶＤ−ビデオフォーマットにのみ対応する再生装置ではフォーマットが不適合なために再生をすることができない。このため、かかる再生装置において、光ディスク２記録したビデオデータを再生するためには、ＤＶＤ−ビデオフォーマットに準拠した所定のフォーマットに変換する必要がある。また、光ディスク２に記録したデータをユニバーサルディスクフォーマット（ＵＤＦ、Ｕｎｉｖｅｒｓａｌ  Ｄｉｓｋ  Ｆｏｒｍａｔ）の規格に適合させる必要がある。
【００５８】
図４は、ビデオデータをＤＶＤ−ビデオフォーマットに準拠した論理フォーマットで記録した光ディスク２のデータ構造を示す図である。ＤＶＤ−ビデオフォーマットに対応した光ディスク２は、図４（Ａ）に示すように、記録面が、先頭側である最内側よりリードイン（Ｌｅａｄ  ｉｎ）、データゾーン（Ｄａｔａ  Ｚｏｎｅ）及びリードアウト（Ｌｅａｄ  ｏｕｔ）に区切られている。上記データゾーンには、所望の実データが記録される。
【００５９】
ここでデータゾーンは、リードイン側より、ＵＤＦブリッジ構成が記述されたファイルシステムエリアであるＵＤＦ（Ｕｎｉｖｅｒｓａｌ  Ｄｉｓｋ  Ｆｏｒｍａｔ）領域Ａ１、ＤＶＤ管理情報エリアであるＶＭＧ（Ｖｉｄｅｏ  Ｍａｎａｇｅｒ）領域Ａ２及びリアルタイムデータ記録エリアＡ３に区分される。ＵＤＦ領域Ａ１及びＶＭＧ領域Ａ２は、リアルタイムデータ記録エリアＡ３に記録されたビデオデータに関する管理情報を記録するための領域である。なお、ＵＤＦ領域Ａ１は、第１の管理情報領域と呼ばれ、ＶＭＧ領域Ａ２は、第２の管理情報領域と呼ばれている。第２の管理情報領域であるＶＭＧ領域Ａ２は、ＤＶＤ−ビデオフォーマットに固有のファイル管理システムに対応する領域であり、リアルタイムデータ記録エリアＡ３に記録されたビデオデータ全体を管理するための管理情報であるＴＯＣ（Ｔａｂｌｅ  Ｏｆ  Ｃｏｎｔｅｎｔｓ）が記録される。これに対して第１の管理情報領域であるＵＤＦ領域Ａ１は、再生装置によるファイル管理システムに対応する領域であり、ＰＣ等におけるファイルシステムとの互換性を図るためのＵＤＦ等のフォーマットによりリアルタイムデータ記録エリアＡ３に記録されたビデオデータ全体を管理するための管理情報が記録される。
【００６０】
リアルタイムデータ記録エリアＡ３は、動画及び静止画等の実データを記録するユーザーエリアであり、図４（Ｂ）に示すように、ＶＴＳ（Ｖｉｄｅｏ  Ｔｉｔｌｅ  Ｓｅｔ）を単位にして、動画及び静止画等が記録される。ＶＴＳはタイトルと呼ばれており、最大で９９個まで設けることができる。このＶＴＳは、図４（Ｃ）に示すように、先頭側よりＶＴＳＩ（Ｖｉｄｅｏ  Ｔｉｔｌｅ  Ｓｅｔ  ｉｎｆｏｒｍａｔｉｏｎ）、ＶＴＳＭ＿ＶＯＢＳ（Ｖｉｄｅｏ  Ｏｂｊｅｃｔ  Ｓｅｔ  ｆｏｒ  ｔｈｅ  ＶＴＳＭ）、ＶＴＳＴＴ＿ＶＯＢＳ（Ｖｉｄｅｏ  Ｏｂｊｅｃｔ  ＳｅｔＦｏｒ  Ｔｉｔｌｅｓ  ｉｎ  ａ  ＶＴＳ）及びＶＴＳＩ＿ＢＵＰ（Ｂａｃｋｕｐ  ｏｆ  ＶＴＳＩ）により構成される。ＶＴＳＴＴ＿ＶＯＢＳには、実データであるＭＰＥＧ（Ｍｏｖｉｎｇ  Ｐｉｃｔｕｒｅ  Ｅｘｐｅｒｔｓ  Ｇｒｏｕｐ）２のフォーマットによるビデオデータが記録され、ＶＴＳＩには、この実データによるビデオデータを管理するための管理情報である記録位置情報等が記録され、ＶＴＳＭ＿ＶＯＢＳには、ビデオデータのタイトルメニューが記録される。なおＶＴＳＭ＿ＶＯＢＳは、オプションである。ＶＴＳＩ＿ＢＵＰは、ＶＴＳＩのバックアップ用のデータが記録される領域である。また、ＶＴＳＴＴ＿ＶＯＢＳは、所定量ごとのパケット化されたデータにより形成されており、例えば、記録するデータが動画の場合には、図４（Ｄ）に示すように、ＣＥＬＬを単位として、複数のＣＥＬＬにより構成されている。
【００６１】
上述したデータ構造を有する光ディスク２につきアクセスする場合には、ＵＤＦ領域Ａ１により所望するファイルを検索して再生することができ、さらには、ＶＭＧ領域Ａ２により所望するファイルを検索して再生することができるように設定されている。
【００６２】
このような光ディスク２に動画を書き込む記録方式としては、Ｉｎｃｒｅｍｅｎｔａｌ  Ｒｅｃｏｒｄｉｎｇ方式（以下、ＩＮＣ方式という。）又はＲｅｓｔｒｉｃｔｅｄ  Ｏｖｅｒ  Ｗｒｉｔｅ方式（以下、ＲＯＷ方式という。）がある。ＩＮＣ方式は、主にＤＶＤ−Ｒ等に採用されており、シーケンシャルに動画を記録する方式であり、ＲＯＷ方式は、主にＤＶＤ−ＲＷ等に採用されており、ランダムに動画を記録する方式である。但し、ＲＯＷ方式においても、未記録領域にデータを記録する場合には、シーケンシャルに動画を記録する必要がある。これらＩＮＣ方式及びＲＯＷ方式においては、リードインよりも内周側に設けられたＲＭＡ（Ｒｅｃｏｒｄｉｎｇ  Ｍａｎａｇｅｍｅｎｔ  Ａｒｅａ）により、リザーブ等の光ディスクヘの処理が管理されるようになされている。
【００６３】
次に、本発明を適用したディスクカムコーダ１の動作について説明をする。
【００６４】
システムコントローラ１５は、光ディスク２へビデオデータを記録する場合において、ディスクドライブ３内における結露状態につき、ＤＥＷセンサ１８の抵抗値を介して識別する。光ディスク２に対する管理情報の記録終了前において、ＤＥＷセンサ１８の抵抗値が図５（ａ）に示すようにレベルＡを超えた場合に、システムコントローラ１５は、ディスクドライブ３内に結露が生じたものと判断し、ＨＩ制御部１２による制御に従ってディスク制御部１９における記録動作を停止するとともに、その旨をＬＣＤパネル１７へ表示させる。またドライブディスク３内においてさらに結露が生じた結果、ＤＥＷセンサ１８の抵抗がレベルＢに達した時には、光ディスク２に対する管理情報の記録を中断する。
【００６５】
ちなみに、図５（ａ）に示すレベルＡは、ディスクドライブ３内の結露状態において、特に光ディスク２上に記録するデータの品質が悪化する状態に基づくものである。またレベルＢは、さらに結露が生じた結果、光ディスク２に対して上述の如く管理情報を記録すると、既に記録されているデータのみならず、メディア自体が破壊される状態に基づくものである。
【００６６】
図５（ｂ）は、このディスクカムコーダ１の動作のフローチャートを示している。
【００６７】
先ずステップＳ１１において、光ディスク２に対してビデオデータの記録が開始された場合に、ＤＥＷセンサ１８は、ディスクドライブ３内における相対湿度に応じた抵抗値を定期的に検出する。このＤＥＷセンサ１８による抵抗値の検出は、例えば２０〜３０分おきに比較的長い周期で実行してもよいし、また５分以下の短い周期で実行してもよい。また、かかる抵抗値の検出は、定期的に実行する場合に限定されることなく、ランダムな周期で実行してもよい。このステップＳ１１において、ＤＥＷセンサ１８の抵抗値がレベルＡを超えている場合には、ステップＳ２１へ移行し、当該抵抗値がレベルＡ以下である場合には、ステップＳ１２へ移行する。
【００６８】
ステップＳ１２において、システムコントローラ１５は、光ディスク２に対してビデオデータを順次記録するように制御する。すなわち、ＤＥＷセンサ１８の抵抗値がレベルＡ以下であるということは、ディスクドライブ３内において結露が発生してないことを示唆するものであり、品質を悪化させることなく、ビデオデータを光ディスク２へ順次記録することができる。
【００６９】
なおステップＳ１２において、ディスク制御部１９によるビデオデータの記録を終了した場合には、ステップＳ１３へ移行し、次のコマンドの待機状態に入る。一方、当該ビデオデータを全て光ディスク２へ記録する前に、ＤＥＷセンサ１８の検出のタイミングに移行した場合には、再びステップＳ１１へ移行し、上述の如く抵抗値を検出する。
【００７０】
またステップＳ２１へ移行した場合において、システムコントローラ１５は、上述した第１の管理情報領域並びに第２の管理情報領域につき、管理情報の記録が終了しているか否か識別する。その結果、当該領域への管理情報の記録が終了している場合には、再びステップＳ１１へ移行する。一方、当該領域への管理情報の記録が未だ終了していない場合には、ステップＳ３１へ移行する。
【００７１】
次にステップＳ３１において、システムコントローラ１５は、ステップＳ１１において検出した結露センサの抵抗値が、さらにレベルＢを超えているか否か識別する。その結果、当該抵抗値がレベルＢを超えているときには、ステップＳ４１へ移行し、当該抵抗値がレベルＢ以下の場合には、ステップＳ４２へ移行する。
【００７２】
ステップＳ３２への移行は、結露センサにより検出した抵抗値が、レベルＡからレベルＢの中間にあることを意味する。すなわち、かかる結露状態において、光ディスク２に対してビデオデータを記録すると、データの品質は悪化してしまうが、管理情報については、順次記録し続けてもても特に支障が生じない結露状態である。このため、ステップＳ３２において、残りの管理情報の光ディスク２への記録処理を続行し、ステップＳ３３へ移行する。
【００７３】
次にステップＳ３３において、ＨＩ制御部による制御に従い、システムコントローラ１５は、光ディスク２に対するビデオデータの記録を一時的に停止させる。これにより、光ディスク２に対してさらにビデオデータが記録されることがなくなり、記録されるデータの品質の悪化を抑えることができる。なお、ビデオデータの記録を一時的に停止した場合において、ＨＩ制御部１２は、一定時間経過後、ビデオデータの記録を再開する旨をシステムコントローラ１５へ通知する。システムコントローラ１５は、かかるＨＩ制御部１２からの通知を受けて、停止していたビデオデータの記録を再開するように、ドライブ制御部１９を制御する。
【００７４】
なお、光ディスク２に対するビデオデータの記録を一時的に停止した場合において、ＤＥＷセンサ１８は、上記抵抗値を短いインターバルで定期的に検出し続けてもよい。これにより、システムコントローラ１５は、ディスクドライブ３における結露状態を随時識別することができ、結露が消失した場合に、ビデオデータの記録を再開するように制御することも可能となる。
【００７５】
またステップＳ３４において、システムコントローラ１５は、ＨＩ制御部１２による制御に基づき、結露により光ディスク２へビデオデータを記録することができない旨、管理情報を記録するまでは光ディスク２の取り出しができない旨、一定時間の待機が必要である旨等を、ＬＣＤパネル１７に表示させる。これにより、ディスクカムコーダ１のユーザは、光ディスク２に対してビデオデータを記録することができない原因を知ることができ、またイジェクトボタン２０を押圧入力しても光ディスクを取り出すことができないことを認識することができる。
【００７６】
次にステップＳ３５へ移行し、ＨＩ制御部１２は、第１の管理情報領域並びに第２の管理情報領域において、管理情報が全て記録されているか否か識別し、当該領域に管理情報が全て記録されている場合には、ディスク蓋２４を施錠を解除するためのＥＪ制御信号をドライブ制御部１９へ送信する。ドライブ制御部１９は係るＥＪ制御信号を受けて、プランジャドライバー２１へ供給する電流を増加させることにより、ロック爪駆動部２２によるディスク蓋２４の施錠を解除させる。
【００７７】
一方、当該領域に管理情報が全て記録されていない場合には、ディスク蓋２４を施錠を維持するためのＥＪ制御信号をドライブ制御部１９へ送信する。ドライブ制御部１９はかかるＥＪ制御信号を受けて、プランジャドライバー２１へ供給する電流を抑制し、ロック爪駆動部２２によるディスク蓋２４の施錠を維持する。このステップＳ３５における処理を実行した後、ステップＳ３６へ移行し、次のコマンドの待機状態に入る。
【００７８】
すなわち、このステップＳ３５において、光ディスク２に対する管理情報の書き込みが終了している場合のみ、ユーザによる光ディスク２の取り出しを認め、当該管理情報の書き込みが未だ終了していない場合には、かかる光ディスク２の取り出しを制限する。これにより、管理情報の記録終了前にディスクドライブ３内に結露が生じた場合において、ユーザによる取り出し操作に基づく光ディスク２の損傷を防ぐことができる。
【００７９】
ちなみに、ステップＳ４１に移行した場合には、結露センサにより検出した抵抗値が、レベルＢを超えていることを意味する。このため、かかる結露状態において光ディスク２に対してビデオデータを記録すると、記録されるデータの品質が悪化し、さらに管理情報を記録すると光ディスク２自体の損傷の原因となる。このため、光ディスク２に対する残りの管理情報の記録を中断し、さらにこのステップＳ４１において、システムコントローラ１５は、光ディスク２に対するビデオデータの記録を停止するようにドライブ制御部１９を制御する。
【００８０】
次にステップＳ４２へ移行し、システムコントローラ１５は、ＬＣＤパネル１７に、ステップＳ３４と同様に、結露の発生をユーザに知らせるためのメッセージを表示し、さらにステップＳ４３へ移行して、次のコマンドの待機状態に入る。
【００８１】
以上詳細に説明したように、本発明を適用したディスクカムコーダ１は、ディスクドライブに挿入された光ディスク２に対して、被写体を撮像することにより生成したビデオデータ並びに当該ビデオデータに基づく管理情報を記録し、またこれと並行して、ディスクドライブ内の相対湿度に応じた抵抗値を定期的に検出し、管理情報の記録終了前において、当該抵抗値がレベルＡを超える場合には、記録媒体に対する画像データの記録を停止する。
【００８２】
これにより、記録媒体に記録されるデータにつき、結露による品質の悪化を抑えることが可能となる。
【００８３】
また本発明は、撮像手段を用いて撮像した画像信号に基づくビデオデータを光ディスク２へ記録するディスクカムコーダに限定されるものではなく、例えば、他の電子機器から送信される画像信号に基づくビデオデータを記録する記録装置に適用してもよい。
【００８４】
例えば光ディスク２は、ディスク状の記録媒体であればよく、上述したＤＶＤ−Ｒ（ＤＶＤ−Ｒｅｃｏｒｄａｂｌｅ）又はＤＶＤ−ＲＷ（ＤＶＤ−Ｒｅｗｒｉｔａｂｌｅ）に限定されるものではない。
【００８５】
また、システムコントローラ１５は、ＤＥＷセンサ１８により検出される抵抗値を、例えばドライブ制御部１９に配設された図示しないＡＤＣ（Ａｎａｌｏｇ  Ｄｉｇｉｔａｌ  Ｃｏｎｖｅｒｔｅｒ）ポートの電圧値を介して検出してもよい。
【００８６】
【発明の効果】
以上詳細に説明したように、本発明を適用した記録装置及び方法は、ディスクドライブに挿入された記録媒体に対してデータ並びに当該データに基づく管理情報を記録し、またこれと並行して、ディスクドライブ内の相対湿度に応じた抵抗値を定期的に検出し、管理情報の記録終了前において、当該抵抗値が第１の閾値を超える場合には、記録媒体に対するデータの記録を停止する。このため、記録媒体に記録されるデータにつき、結露による品質の悪化を抑えることが可能となる。
【００８７】
以上詳細に説明したように、本発明を適用した撮像装置は、ディスクドライブに挿入された記録媒体に対して、被写体を撮像することにより生成した画像データ並びに当該画像データに基づく管理情報を記録し、またこれと並行して、ディスクドライブ内の相対湿度に応じた抵抗値を定期的に検出し、管理情報の記録終了前において、当該抵抗値が第１の閾値を超える場合には、記録媒体に対する画像データの記録を停止する。このため、記録媒体に記録される画像データにつき、結露による品質の悪化を抑えることが可能となる。
【図面の簡単な説明】
【図１】本発明を適用したディスクカムコーダのシステム構成を説明するための図である。
【図２】本発明を適用したディスクカムコーダにおけるディスクドライブの詳細な構成を示す図である。
【図３】光ディスクの取出制御系を示す図である。
【図４】ビデオデータをＤＶＤ−ビデオフォーマットに準拠した論理フォーマットで記録した光ディスクのデータ構造を示す図である。
【図５】本発明を適用したディスクカムコーダの動作を示す図である。
【図６】光ディスクのデータ構造の例を示す図である。
【符号の説明】
１  ディスクカムコーダ、２  光ディスク、３  ディスクドライブ、１１  フロント制御部、１２  ＨＩ制御部、１３  カメラ部、１４  カメラ制御部、１５システムコントローラ、１６  コーディック処理部、１７  ＬＣＤパネル、１８  結露センサ、１９  ドライブ制御部、２０  ドライブチップセット、３１  光学ピックアップ、３２  スピンドルモータ、３３  スレッドモータ、３４  ＲＦ増幅器、３７  記憶部、３５  ディジタルシグナルプロセッサ、３３  スレッドモータ、３６  ドライブＩＣ、３８  スピンドルドライバ、３９  マイクロコンピュータ、４０  フラッシュメモリ、４１  温度センサ、４２  ショックセンサ
【図１】
2004213810.tif 000003
【図２】
2004213810.tif 000004
【図３】
2004213810.tif 000005
【図４】
2004213810.tif 000006
【図５】
2004213810.tif 000007
【図６】
2004213810.tif 000008